(57)【要約】    【課題】      劣悪な受信環境下において、送信電力制御ビットやＰＩデータの受信における干渉波の影響を処理量の増加なく小さくすること。    【解決手段】  ＣＤＭＡ基地局装置１００の上り送信電力制御ビット生成部１１１では、ＳＩＲ測定値と目標ＳＩＲ値との大小関係を比較し、ＳＩＲ測定値が目標ＳＩＲに満たない場合は移動局に対して送信電力を上げるように指示するＵＰコマンドを生成し、反対にＳＩＲ測定値が目標ＳＩＲ以上の場合は移動局に対して送信電力を下げるように指示するＤＯＷＮコマンドを生成するが、そのＵＰコマンド及びＤＯＷＮコマンドに対応するＴＰＣビットを、スロット毎にビット“０”とビット“１”とが交互に切り替わるように生成する。ＣＤＭＡ移動局装置では、受信処理量を増加することなく、干渉波の影響を小さくすることができるようになる。  【選択図】      図１
2006295679.tif 000002
【特許請求の範囲】
【請求項１】
他方のＣＤＭＡ無線通信装置に対して送信するＵＰコマンド及びＤＯＷＮコマンドに対応する送信電力制御用ビットを、一定周期毎にビット“０”とビット“１”とが交互に切り替わるビットパターンとして生成する手段、を具備することを特徴とするＣＤＭＡ無線通信装置。
【請求項２】
受信した送信電力制御用ビットに基づき送信する送信電力を制御する際に、受信した前記送信電力制御用ビットの一定周期毎にビット“０”とビット“１”とが交互に切り替わるビットパターンを解釈してＵＰコマンドとＤＯＷＮコマンドのいずれであるかを判定する手段、を具備することを特徴とするＣＤＭＡ無線通信装置。
【請求項３】
他方のＣＤＭＡ無線通信装置に対してＵＰコマンド及びＤＯＷＮコマンドに対応する送信電力制御用ビットを送信するスロットフォーマットが複数ビットをまとめて送信できる場合に、前記送信電力制御用ビットを、ビット“０”の数とビット“１”の数とを等しくしたビットパターンとして生成する手段、を具備することを特徴とするＣＤＭＡ無線通信装置。
【請求項４】
受信した送信電力制御用ビットに基づき送信する送信電力を制御する際に、受信した前記送信電力制御用ビットのビット“０”の数とビット“１”の数とを等しくしたビットパターンと予め用意したビットパターンとの相関を取ってＵＰコマンドとＤＯＷＮコマンドのいずれであるかを判定する手段、を具備することを特徴とするＣＤＭＡ無線通信装置。
【請求項５】
一方のＣＤＭＡ無線通信装置がＵＰコマンド及びＤＯＷＮコマンドに対応する送信電力制御用ビットを送信し、他方のＣＤＭＡ無線通信装置が受信した前記送信電力制御用ビットに基づき送信する送信電力を制御する場合に、前記一方のＣＤＭＡ無線通信装置は、前記送信電力制御用ビットを一定周期毎にビット“０”とビット“１”とが交互に切り替わるビットパターンとして送信し、前記他方のＣＤＭＡ無線通信装置は、受信した前記送信電力制御用ビットのビットパターンを解釈してＵＰコマンドとＤＯＷＮコマンドのいずれであるかを判定する、ことを特徴とするＣＤＭＡ無線通信方法。
【請求項６】
一方のＣＤＭＡ無線通信装置がＵＰコマンド及びＤＯＷＮコマンドに対応する送信電力制御用ビットを送信し、他方のＣＤＭＡ無線通信装置が受信した前記送信電力制御用ビットに基づき送信する送信電力を制御する場合に、前記一方のＣＤＭＡ無線通信装置は、前記送信電力制御用ビットをビット“０”の数とビット“１”の数とを等しくしたビットパターンとして送信し、前記他方のＣＤＭＡ無線通信装置は、受信した前記送信電力制御用ビットのビットパターンと予め用意したビットパターンとの相関を取ってＵＰコマンドとＤＯＷＮコマンドのいずれであるかを判定する、ことを特徴とするＣＤＭＡ無線通信方法。
【請求項７】
ＣＤＭＡ移動局装置での着信・非着信の制御を行うＰＩデータを送信する際に、着信及び非着信に対応する前記ＰＩデータを一定周期毎にビット“０”とビット“１”とが交互に切り替わるビットパターンとして生成する手段、を具備することを特徴とするＣＤＭＡ基地局装置。
【請求項８】
受信した着信・非着信の制御を行うＰＩデータの一定周期毎にビット“０”とビット“１”とが交互に切り替わるビットパターンのビットの復号を一定周期毎に切り替えて行い着信の有無を判定する手段、を具備することを特徴とするＣＤＭＡ移動局装置。
【請求項９】
ＣＤＭＡ移動局装置での着信・非着信の制御を行うＰＩデータを送信する下りフォーマットが複数ビットまとめて送信できる場合に、着信及び非着信に対応する前記ＰＩデータをビット“０”の数とビット“１”の数が等しくなるビットパターンとして生成する手段、を具備することを特徴とするＣＤＭＡ基地局装置。
【請求項１０】
受信した着信・非着信の制御を行うＰＩデータのビット“０”の数とビット“１”の数が等しくなるビットパターンと予め用意したビットパターンとの相関を取って着信の有無を判定する手段、を具備することを特徴とするＣＤＭＡ移動局装置。
【請求項１１】
ＣＤＭＡ基地局装置は、着信・非着信の制御を行うＰＩデータを一定周期毎にビット“０”とビット“１”とが交互に切り替わるビットパターンとして送信し、前記ＰＩデータを受信するＣＤＭＡ移動局装置は、受信ＰＩデータのビットの復号を一定周期毎に切り替えて行い着信の有無を判定する、ことを特徴とするＣＤＭＡ無線通信方法。
【請求項１２】
ＣＤＭＡ基地局装置は、着信・非着信の制御を行うＰＩデータをビット“０”の数とビット“１”の数が等しくなるビットパターンとして送信し、前記ＰＩデータを受信するＣＤＭＡ移動局装置は、受信ＰＩデータのビットパターンと予め用意したビットパターンとの相関を取って着信の有無を判定する、ことを特徴とするＣＤＭＡ無線通信方法。
【発明の詳細な説明】
【技術分野】
【０００１】
本発明は、ＣＤＭＡ移動通信システムでの基地局装置や移動局装置であるＣＤＭＡ無線通信装置及び前記ＣＤＭＡ無線通信装置が実施するＣＤＭＡ無線通信方法に関する。
【背景技術】
【０００２】
ＣＤＭＡ移動通信システムでは、送信電力制御方法として、一般にクローズドループ送信電力制御が適用される。これは、例えば上り送信電力制御の場合、基地局は上りリンクの受信品質を測定し、その測定値と目標値とから送信電力制御ビットであるＴＰＣ（Transmit Power Control）ビットを作成して移動局に送信する。移動局は受信したＴＰＣビットを基に上り送信電力を制御する。これによって、上り送信電力を必要最低限に抑え、低消費電力、加入者容量の増大などを実現している。
【０００３】
なお、ＴＰＣビットについては、例えば３ＧＰＰ（3rd Generation Partnership Project）では、ＵＰコマンドは全てのビットを“１”にし、ＤＯＷＮコマンドは全てのビットを“０”にしたビットパターンを規定している（非特許文献１参照）。
【０００４】
ところで、従来では、上り送信電力制御の場合、下り受信環境が悪い場合に、移動局は正確に上り送信電力制御をできないという問題があった。これは、ＣＤＭＡ方式では多くのチャネルが時間、周波数を共用するため互いに干渉が生じ、各移動局が他チャネルからの干渉波の影響を受けるためである。
【０００５】
図１３は、受信品質が悪い場合の受信信号点の遷移を説明するコンスタレーション図である。即ち、受信しているチャネルの受信レベルに比べて、他チャネル（例えば送信電力の大きい共通パイロットチャネル）の信号が大きい場合、その他チャネルからの干渉波によって、受信信号点が、図１３に示すように、本来の受信信号点１３０１から受信信号点１３０２にオフセットすることが起こる。
【０００６】
このような状況では、例え基地局がＵＰコマンドとＤＯＷＮコマンドとを等しい確率で送信していても、移動局ではＵＰコマンドと判定する確率が多くなったり、反対にＤＯＷＮコマンドと判定する確率が多くなったりする場合が発生する。前者の場合には移動局の送信電力が過剰になるので、多くのユーザへの干渉を大きくし、結果的に加入者容量を下げることになる。反対に後者の場合は呼切断が発生することになる。
【０００７】
このような誤判定を防ぐ解決方法として、従来では、移動局は各基地局からの受信ＳＩＲ（Signal to Interference Ratio：希望波対干渉波比）を測定し、ＳＩＲ値が所定の基準値以下の基地局からの送信電力制御情報（ＴＰＣビット）は無視し、現在の送信電力を維持することで、信頼度の低い送信電力制御情報に従って上り送信電力を誤って制御することを防止している（例えば特許文献１参照）。
【特許文献１】特開平９−３１２６０９号公報
【非特許文献１】３ＧＰＰ  ＴＳ  ２５．２１１
【発明の開示】
【発明が解決しようとする課題】
【０００８】
しかしながら、上記した従来の上り送信電力制御法では、移動局は基地局毎に或いはパス毎にＳＩＲを測定する必要があるなど非常に処理量を要することになる。これは、下り送信電力制御においても同様に指摘できることである。
【０００９】
一方、移動局では、着信・非着信を制御するＰＩ（Paging indicator）データの受信に関しても、ＴＰＣビット復調と同様に干渉波の影響を受けることによって、受信信号がオフセットし、誤判定しやすく着信性能が悪くなるという問題もある。
【００１０】
本発明は、かかる点に鑑みてなされたものであり、下り受信品質や上り受信品質が悪い場合でも、送信電力制御情報受信での処理量を増やすことなく、干渉波の影響を小さくすることのできるＣＤＭＡ無線通信装置及びＣＤＭＡ無線通信方法を提供することを目的とする。
【００１１】
また、本発明は、下り受信品質が悪い場合でも、ＰＩデータ受信での処理量を増やすことなく、干渉波の影響を小さくすることのできるＣＤＭＡ無線通信装置及びＣＤＭＡ無線通信方法を提供することを目的とする。
【課題を解決するための手段】
【００１２】
かかる課題を解決するため、本発明に係るＣＤＭＡ無線通信装置は、他方のＣＤＭＡ無線通信装置に対してＵＰコマンド及びＤＯＷＮコマンドに対応する送信する送信電力制御用ビットを、一定周期毎にビット“０”とビット“１”とが交互に切り替わるビットパターンとして生成する手段を具備する構成を採る。
【００１３】
この構成によれば、送信電力の制御を指示するＣＤＭＡ無線通信装置は、指示を受ける他方のＣＤＭＡ無線通信装置に対する送信電力制御用ビットを、処理量を増やすことなく干渉波の影響を小さくして受信処理が行えるような形式で送信することができる。
【００１４】
本発明に係るＣＤＭＡ無線通信装置は、受信した送信電力制御用ビットに基づき送信する送信電力を制御する際に、受信した前記送信電力制御用ビットの一定周期毎にビット“０”とビット“１”とが交互に切り替わるビットパターンを解釈してＵＰコマンドとＤＯＷＮコマンドのいずれであるかを判定する手段を具備する構成を採る。
【００１５】
この構成によれば、指示を受けて送信電力の制御を行うＣＤＭＡ無線通信装置は、送信電力制御用ビットの受信処理を、処理量を増やすことなく干渉波の影響を小さくして行えるようになるので、送信電力制御情報受信の判定性能を向上させることができる。
【００１６】
本発明に係るＣＤＭＡ無線通信装置は、他方のＣＤＭＡ無線通信装置に対してＵＰコマンド及びＤＯＷＮコマンドに対応する送信電力制御用ビットを送信するスロットフォーマットが複数ビットをまとめて送信できる場合に、前記送信電力制御用ビットを、ビット“０”の数とビット“１”の数とを等しくしたビットパターンとして生成する手段を具備する構成を採る。
【００１７】
この構成によれば、送信電力の制御を指示するＣＤＭＡ無線通信装置は、指示を受ける他方のＣＤＭＡ無線通信装置に対する送信電力制御用ビットを、処理量を増やすことなく干渉波の影響を小さくして受信処理が行えるような形式で送信することができる。
【００１８】
本発明に係るＣＤＭＡ無線通信装置は、受信した送信電力制御用ビットに基づき送信する送信電力を制御する際に、受信した前記送信電力制御用ビットのビット“０”の数とビット“１”の数とを等しくしたビットパターンと予め用意したビットパターンとの相関を取ってＵＰコマンドとＤＯＷＮコマンドのいずれであるかを判定する手段を具備する構成を採る。
【００１９】
この構成によれば、指示を受けて送信電力の制御を行うＣＤＭＡ無線通信装置は、送信電力制御用ビットの受信処理を、処理量を増やすことなく干渉波の影響を小さくして行えるようになるので、送信電力制御情報受信の判定性能を向上させることができる。
【００２０】
本発明に係るＣＤＭＡ無線通信方法は、一方のＣＤＭＡ無線通信装置がＵＰコマンド及びＤＯＷＮコマンドに対応する送信電力制御用ビットを送信し、他方のＣＤＭＡ無線通信装置が受信した前記送信電力制御用ビットに基づき送信する送信電力を制御する場合に、前記一方のＣＤＭＡ無線通信装置は、前記送信電力制御用ビットを一定周期毎にビット“０”とビット“１”とが交互に切り替わるビットパターンとして送信し、前記他方のＣＤＭＡ無線通信装置は、受信した前記送信電力制御用ビットのビットパターンを解釈してＵＰコマンドとＤＯＷＮコマンドのいずれであるかを判定するようにした。
【００２１】
この方法によれば、送信電力制御用ビットの受信処理を、下り受信品質や上り受信品質が悪い場合でも、処理量を増やすことなく干渉波の影響を小さくして行えるようになるので、送信電力制御情報受信の判定性能を向上させることができる。
【００２２】
本発明に係るＣＤＭＡ無線通信方法は、一方のＣＤＭＡ無線通信装置がＵＰコマンド及びＤＯＷＮコマンドに対応する送信電力制御用ビットを送信し、他方のＣＤＭＡ無線通信装置が受信した前記送信電力制御用ビットに基づき送信する送信電力を制御する場合に、前記一方のＣＤＭＡ無線通信装置は、前記送信電力制御用ビットをビット“０”の数とビット“１”の数とを等しくしたビットパターンとして送信し、前記他方のＣＤＭＡ無線通信装置は、受信した前記送信電力制御用ビットのビットパターンと予め用意したビットパターンとの相関を取ってＵＰコマンドとＤＯＷＮコマンドのいずれであるかを判定するようにした。
【００２３】
この方法によれば、送信電力制御用ビットの受信処理を、下り受信品質や上り受信品質が悪い場合でも、処理量を増やすことなく干渉波の影響を小さくして行えるようになるので、送信電力制御情報受信の判定性能を向上させることができる。
【００２４】
本発明に係るＣＤＭＡ基地局装置は、ＣＤＭＡ移動局装置での着信・非着信の制御を行うＰＩデータを送信する際に、着信及び非着信に対応する前記ＰＩデータを一定周期毎にビット“０”とビット“１”とが交互に切り替わるビットパターンとして生成する手段を具備する構成を採る。
【００２５】
この構成によれば、ＣＤＭＡ移動局装置での着信・非着信の制御を行うＰＩデータを、処理量を増やすことなく干渉波の影響を小さくして受信処理が行えるような形式で送信することができる。
【００２６】
本発明に係るＣＤＭＡ移動局装置は、受信した着信・非着信の制御を行うＰＩデータの一定周期毎にビット“０”とビット“１”とが交互に切り替わるビットパターンのビットの復号を一定周期毎に切り替えて行い着信の有無を判定する手段を具備する構成を採る。
【００２７】
この構成によれば、ＣＤＭＡ移動局装置では、下り受信品質が悪い場合でも、処理量を増やすことなく干渉波の影響を小さくしてＰＩデータの受信判定が行えるようになる。
【００２８】
本発明に係るＣＤＭＡ基地局装置は、ＣＤＭＡ移動局装置での着信・非着信の制御を行うＰＩデータを送信する下りフォーマットが複数ビットまとめて送信できる場合に、着信及び非着信に対応する前記ＰＩデータをビット“０”の数とビット“１”の数が等しくなるビットパターンとして生成する手段を具備する構成を採る。
【００２９】
この構成によれば、ＣＤＭＡ移動局装置での着信・非着信の制御を行うＰＩデータを、処理量を増やすことなく干渉波の影響を小さくして受信処理が行えるような形式で送信することができる。
【００３０】
本発明に係るＣＤＭＡ移動局装置は、受信した着信・非着信の制御を行うＰＩデータのビット“０”の数とビット“１”の数が等しくなるビットパターンと予め用意したビットパターンとの相関を取って着信の有無を判定する手段を具備する構成を採る。
【００３１】
この構成によれば、ＣＤＭＡ移動局装置では、下り受信品質が悪い場合でも、処理量を増やすことなく干渉波の影響を小さくしてＰＩデータの受信判定が行えるようになる。
【００３２】
本発明に係るＣＤＭＡ無線通信方法は、ＣＤＭＡ基地局装置は、着信・非着信の制御を行うＰＩデータを一定周期毎にビット“０”とビット“１”とが交互に切り替わるビットパターンとして送信し、前記ＰＩデータを受信するＣＤＭＡ移動局装置は、受信ＰＩデータのビットの復号を一定周期毎に切り替えて行い着信の有無を判定するようにした。
【００３３】
この方法によれば、ＰＩデータの受信処理を、下り受信品質が悪い場合でも、処理量を増やすことなく干渉波の影響を小さくして行えるようになるので、ＰＩデータの受信判定性能を向上させることができる。
【００３４】
本発明に係るＣＤＭＡ無線通信方法は、ＣＤＭＡ基地局装置は、着信・非着信の制御を行うＰＩデータをビット“０”の数とビット“１”の数が等しくなるビットパターンとして送信し、前記ＰＩデータを受信するＣＤＭＡ移動局装置は、受信ＰＩデータのビットパターンと予め用意したビットパターンとの相関を取って着信の有無を判定するようにした。
【００３５】
この方法によれば、ＰＩデータの受信処理を、下り受信品質が悪い場合でも、処理量を増やすことなく干渉波の影響を小さくして行えるようになるので、ＰＩデータの受信判定性能を向上させることができる。
【発明の効果】
【００３６】
本発明によれば、下り受信品質や上り受信品質が悪い場合でも、送信電力制御情報受信での処理量を増やすことなく、干渉波の影響を小さくすることができるので、送信電力制御情報の受信判定性能を向上させることができる。
【００３７】
また、本発明によれば、下り受信品質が悪い場合でも、ＰＩデータ受信での処理量を増やすことなく、干渉波の影響を小さくすることができるので、ＰＩデータの受信判定性能を向上させることができる。
【発明を実施するための最良の形態】
【００３８】
本発明の骨子は、ＵＰコマンド及びＤＯＷＮコマンドに対応する送信電力制御用のＴＰＣビットのビットパターンを一定周期毎に切り替える、或いは、複数ビット送信できるスロットフォーマットを用いるときはＴＰＣビットのビットパターンをビット“０”の数とビット“１”の数とを等しくして生成することで、下り受信品質や上り受信品質が悪い場合でも、受信処理量を増やすことなく干渉波の影響を小さくして送信電力制御用ＴＰＣビットの受信判定が行えるようにすることである。
【００３９】
また、本発明の骨子は、ＰＩＣＨを用いたＰＩデータの送受信において、着信及び非着信に対応するＰＩデータを、周期的にビット“０”とビット“１”とが切り替わるビットパターンとして送信する、或いは、複数ビットを送信できる下りフォーマットを用いるときはビット“０”の数とビット“１”の数とを等しくしたビットパターンとして送信することで、下り受信品質が悪い場合でも、処理量を増やすことなく干渉波の影響を小さくしてＰＩデータの受信判定が行えるようにすることである。
【００４０】
以下、本発明の実施の形態について図面を参照して詳細に説明する。
【００４１】
（実施の形態１）
本実施の形態１は、送信電力制御用コマンドであるＴＰＣビットの送受信方法（その１）に関する。なお、上り送信電力制御について説明するが、下り送信電力制御についても同様に実施可能である。
【００４２】
図１は、本発明の実施の形態１に係るＣＤＭＡ無線通信装置であるＣＤＭＡ基地局装置の構成を示すブロック図である。図１に示すＣＤＭＡ基地局装置１００は、上りリンク信号を受信する受信アンテナ１０１と、受信アンテナ１０１から入力する受信信号を増幅し、基底帯域の信号にダウンコンバートする受信無線部１０２と、受信無線部１０２が出力する受信信号をディジタル信号に変換するＡ／Ｄ変換器１０３と、Ａ／Ｄ変換器１０３の出力を逆拡散する逆拡散部１０４と、逆拡散部１０４が出力する逆拡散信号から位相推定を行う位相推定部１０５と、位相推定部１０５が出力する位相推定値を用いて逆拡散部１０４が出力する逆拡散信号の同期検波を行う同期検波部１０６と、同期検波部１０６が出力する同期検波データを復号して受信データを出力するデコーダ部１０７とを備えている。
【００４３】
また、図１に示すＣＤＭＡ基地局装置１００は、逆拡散部１０４が出力する逆拡散信号から干渉波受信電力（ＩＳＣＰ：Interference Signal Code Power）を測定するＩＳＣＰ算出部１０８と、逆拡散部１０４が出力する逆拡散信号から希望波受信電力（ＲＳＣＰ：Received Signal Code Power）を測定するＲＳＣＰ算出部１０９と、測定された希望波受信電力と干渉波受信電力との比である受信ＳＩＲを求めるＳＩＲ算出部１１０と、ＳＩＲ算出部１１０が出力する測定ＳＩＲと例えばスロット番号とが入力し、後述するように上り送信電力制御用ＴＰＣを生成する上り送信電力制御ビット生成部１１１とを備えている。
【００４４】
そして、図１に示すＣＤＭＡ基地局装置１００は、外部から入力する下り送信データを符号化し、それに上り送信電力制御ビット生成部１１１が生成したＴＰＣビットを挿入して送信フレームを作成するエンコーダ部１１２と、エンコーダ部１１２が出力するフレーム信号を拡散する拡散部１１３と、拡散部１１３が出力する拡散データをアナログ信号に変換するＤ／Ａ変換器１１４と、変換されたアナログ信号を増幅し、無線周波の送信信号にアップコンバートする送信無線部１１５と、送信無線部１１５が出力する送信信号を下りリンクに送出する送信アンテナ１１６とを備えている。
【００４５】
図２は、図１に示す上り送信電力制御ビット生成部１１１の構成例を示すブロック図である。図２において、上り送信電力制御ビット生成部１１１は、ＳＩＲ測定値と目標ＳＩＲ値とを比較する比較部２００と、比較部２００での比較結果と例えばスロット番号の情報とからＴＰＣビットを生成するＴＰＣ生成部２０１とを備えている。
【００４６】
次に、図３は、本発明の実施の形態１に係るＣＤＭＡ無線通信装置であるＣＤＭＡ移動局装置の構成を示すブロック図である。図３に示すＣＤＭＡ移動局装置３００は、下りリンク信号を受信する受信アンテナ３０１と、受信アンテナ３０１から入力する受信信号を増幅し、基底帯域の信号にダウンコンバートする受信無線部３０２と、受信無線部３０２が出力する受信信号をディジタル信号に変換するＡ／Ｄ変換器３０３と、Ａ／Ｄ変換器３０３の出力を逆拡散する逆拡散部３０４と、逆拡散部３０４が出力する逆拡散信号から位相推定を行う位相推定部３０５と、位相推定部３０５が出力する位相推定値を用いて逆拡散部３０４が出力する逆拡散信号の同期検波を行う同期検波部３０６と、同期検波部３０６が出力する同期検波データを復号して受信データを出力するデコーダ部３０７とを備えている。
【００４７】
また、図３に示すＣＤＭＡ移動局装置３００は、逆拡散部３０４が出力する逆拡散信号からＴＰＣビットを復調するＴＰＣ同期検波部３０８と、ＴＰＣ同期検波部３０８でのＴＰＣビットの受信結果と例えばスロット番号とが入力し、後述するように上り送信電力を決定し上り送信電力制御信号を出力する上り送信電力制御部３０９とを備えている。
【００４８】
そして、図３に示すＣＤＭＡ移動局装置３００は、外部から入力する上り送信データを符号化するエンコーダ部３１０と、エンコーダ部３１０が出力する符号化信号を拡散する拡散部３１１と、拡散部３１１が出力する拡散データをアナログ信号に変換するＤ／Ａ変換器３１２と、変換されたアナログ信号を増幅し、無線周波の送信信号にアップコンバートする送信無線部３１３と、送信無線部３１３が上り送信電力制御部３０９からの上り送信電力制御信号に従った電力で出力する送信信号を上りリンクに送出する送信アンテナ３１４とを備えている。
【００４９】
図４は、図３に示す上り送信電力制御部３０９の構成例を示すブロック図である。図４において、上り送信電力制御部３０９は、受信したＴＰＣビットの復調結果と例えばスロット番号の情報とから上り送信電力コマンドを判定するＴＰＣデコーダ部４００を備えている。
【００５０】
次に、図１〜図５を参照して、以上のように構成される本実施の形態１に係るＣＤＭＡ無線通信装置にて実施される上り送信電力制御の動作について説明する。図５は、図１に示すＣＤＭＡ基地局装置１００と図３に示すＣＤＭＡ移動局装置３００との間で送受信される上り送信電力制御ビットのビットパターンを説明する図である。
【００５１】
ＣＤＭＡ基地局装置１００の上り送信電力制御ビット生成部１１１では、図２において、比較部２００は、ＳＩＲ測定値と目標ＳＩＲ値との大小関係を比較し、ＳＩＲ測定値が目標ＳＩＲに満たない場合は移動局に対して送信電力を上げるように指示するＵＰコマンドを生成し、反対にＳＩＲ測定値が目標ＳＩＲ以上の場合は移動局に対して送信電力を下げるように指示するＤＯＷＮコマンドを生成する。
【００５２】
ＴＰＣ生成部２０１は、比較部２００が出力したＵＰコマンドあるいはＤＯＷＮコマンドから“０”、“１”のビットパターンにマッピングしたＵＰコマンド及びＤＯＷＮコマンドに対応する送信電力制御用コマンドであるＴＰＣビットを生成する。その際、例えば図５に示すように、スロット毎にビット“０”とビット“１”とが交互に切り替わるようにマッピングしたＴＰＣビットを生成する。このようなビットパターンのＴＰＣビットがエンコーダ部１１２に出力される。
【００５３】
一方、ＣＤＭＡ移動局装置３００における上り送信電力制御部３０９では、図４において、ＴＰＣデコーダ部において、ＴＰＣ同期検波部が下り信号から抜き出したＴＰＣビット（ＴＰＣ復調結果）の値とスロット番号の情報とからビットパターンを解釈し、ＵＰコマンドであるか、ＤＯＷＮコマンドであるかの判定を行う。このとき、スロット番号とビット“０”及びビット“１”との対応関係は、ＣＤＭＡ基地局装置１００と同じでなければならない。そして、上り送信電力制御部３０９は、ＵＰ／ＤＯＷＮの判定結果を基に上り送信電力値を決定し、送信無線部３１３を制御する。
【００５４】
ここで、ＴＰＣビットパターンの切り替えは、スロット番号を用いてスロット毎に行うように説明したが、スロット番号に限るものではない。例えば、１フレーム当たりのスロット数が奇数の場合は、フレーム番号をも考慮する必要がある。
【００５５】
また、ＴＰＣビットの切替周期についてもスロットに限定したものではなく、例えば使用する拡散符号の周期毎などとしても良い。これによって、干渉の発生周期にあわせた切替周期を設定することができる。
【００５６】
このように、本実施の形態１によれば、ＵＰコマンド及びＤＯＷＮコマンドに対応する送信電力制御用ＴＰＣビットをビット“０”とビット“１”とを周期的に切り替えたビットパターンとしたので、下り受信品質が悪い場合でも、処理量を増やすことなく干渉波の影響を小さくして送信電力制御用ＴＰＣビットの判定処理が行えるようになる。
【００５７】
なお、以上の説明では、３ＧＰＰの規格を前提に記載しているが、他のシステムにも同様に実施可能である。
【００５８】
（実施の形態２）
本実施の形態２は、送信電力制御用コマンドであるＴＰＣビットの送受信方法（その２）に関する。なお、上り送信電力制御について説明するが、下り送信電力制御についても同様に実施可能である点は、実施の形態１と同様である。
【００５９】
図６は、本発明の実施の形態２に係るＣＤＭＡ無線通信装置であるＣＤＭＡ基地局装置の構成を示すブロック図である。また、図７は、本発明の実施の形態２に係るＣＤＭＡ無線通信装置であるＣＤＭＡ移動局装置の構成を示すブロック図である。なお、図６と図７では、実施の形態１（図１と図３）に示した構成要素と同一ないしは同等である構成要素には同一の符号が付されている。ここでは、本実施の形態２に関わる部分を中心に説明する。
【００６０】
図６に示すように、実施の形態２に係るＣＤＭＡ基地局装置６００では、実施の形態１（図１）に示した構成において、上り送信電力制御ビット生成部１１１に代えて、上り送信電力制御ビット生成部６０１が設けられている。上り送信電力制御ビット生成部６０１は、図２に示した比較部とＴＰＣ生成部とを備えるが、実施の形態２によるＴＰＣ生成部は、図２に示したＴＰＣ生成部２０１とは異なる方法でＴＰＣビットを生成するようになっている。
【００６１】
また、図７に示すように、実施の形態２に係るＣＤＭＡ移動局装置７００では、実施の形態１（図３）に示した構成において、上り送信電力制御部３０９に代えて、上り送信電力制御部７０１が設けられている。上り送信電力制御部７０１は、図４に示したＴＰＣデコード部を備えるが、実施の形態２によるＴＰＣデコード部は、図４に示したＴＰＣデコーダ部４００とは異なる方法でＴＰＣ復調結果を判定するようになっている。
【００６２】
次に、図６〜図８を参照して、以上のように構成される本実施の形態１に係るＣＤＭＡ無線通信装置にて実施される上り送信電力制御の動作について説明する。図８は、図６に示すＣＤＭＡ基地局装置６００と図７に示すＣＤＭＡ移動局装置７００との間で送受信される上り送信電力制御ビットのビットパターンを説明する図である。
【００６３】
本実施の形態２では、１スロット内に複数ビットのＴＰＣビットを送信するスロットフォーマットである場合に関する。この場合には、ＣＤＭＡ基地局装置６００の上り送信電力制御ビット生成部６０１は、例えば図８に示すように、ビット“０”とビット“１”との数が等しくなるビットパターンを有する送信電力制御用コマンドであるＴＰＣビットを生成する。
【００６４】
一方、ＣＤＭＡ移動局装置７００における上り送信電力制御部７０１は、ＴＰＣ復調結果である受信ＴＰＣビットと予め用意したビットパターンとの相関を算出し、その相関値からＵＰコマンドであるか、ＤＯＷＮコマンドであるかを判定する。
【００６５】
このように、本実施の形態２によれば、１スロット内に複数ビットのＴＰＣビットを送信するスロットフォーマットである場合に、ＵＰコマンド及びＤＯＷＮコマンドに対応する送信電力制御用ＴＰＣビットを、ビット“０”とビット“１”の数が等しいビットパターンとしたので、下り受信品質が悪い場合でも、処理量を増やすことなく干渉波の影響を小さくして送信電力制御用ＴＰＣビットの判定処理が行えるようになる。
【００６６】
（実施の形態３）
本実施の形態３は、ＣＤＭＡ移動局装置での着信・非着信を制御するＰＩデータのＰＩＣＨによる送受信方法（その１）に関する。なお、ここでは、ＣＤＭＡ基地局装置について説明する。
【００６７】
図９は、本発明の実施の形態３に係るＣＤＭＡ基地局装置の構成を示すブロック図である。図９に示す本実施の形態３に係るＣＤＭＡ基地局装置９００は、外部からＰＩＣＨ送信データと例えばスロット番号とが入力し、後述する内容のビットパターンを有するＰＩデータを含むフレーム信号を作成するエンコーダ部９０１と、エンコーダ部９０１が出力するフレーム信号を拡散する拡散部９０２と、拡散部９０２が出力する拡散データをアナログ信号に変換するＤ／Ａ変換器９０３と、変換されたアナログ信号を増幅し、無線周波の送信信号にアップコンバートする送信無線部９０４と、送信無線部９０４が出力する送信信号を下りリンクに送出する送信アンテナ９０５とを備えている。
【００６８】
次に、図９と図１０を参照して、以上のように構成される本実施の形態３に係るＣＤＭＡ基地局装置９００にて実施されるＰＩデータの送信動作について説明する。図１０は図９に示すＣＤＭＡ基地局装置が送信するＰＩデータのビットパターンを説明する図である。
【００６９】
エンコーダ部９０１では、外部から入力するＰＩＣＨ送信データからフレーム信号に生成する際に、図１０に示すように、着信及び非着信に対応するＰＩデータを、例えばスロット番号の情報からスロット毎にビット“０”とビット“１”とが交互に切り替わるビットパターンとして生成する。
【００７０】
図１０は、ＰＩデータが４ビット構成の場合を示す。「着信あり」のＰＩデータは、スロット毎に、“００００”“１１１１”“００００”“１１１１”と切り替わる。一方、「着信なし」のＰＩデータは、スロット毎に、「着信あり」とは逆に“１１１１”“００００”“１１１１”“００００”と切り替わる。
【００７１】
図示しないＣＤＭＡ移動局装置では、受信ＰＩデータの復号をスロット毎に等、一定周期毎に切り替えて着信の有無を判定することになる。
【００７２】
なお、変更する周期に関しては、スロット周期である必要はなく、フレーム周期、あるいはＳＦＮ（System Frame Number）周期などでも良い。要するに、一定の周期で、ビットパターンを切り替えるのである。
【００７３】
このように、本実施の形態３によれば、ＣＤＭＡ基地局装置では、着信及び非着信に対応するＰＩデータを、周期的に、ビット“０”とビット“１”とを切り替えたビットパターンとして送信するようにしたので、それを受信するＣＤＭＡ移動局装置では、下り受信品質が悪い場合でも、処理量を増やすことなく干渉波の影響を小さくしてＰＩビットの判定処理が行えるので、着信性能の向上が図れる。
【００７４】
（実施の形態４）
本実施の形態４は、ＣＤＭＡ移動局装置での着信・非着信を制御するＰＩデータのＰＩＣＨによる送受信方法（その２）に関する。なお、ここでは、ＣＤＭＡ基地局装置について説明する。
【００７５】
図１１は、本発明の実施の形態４に係るＣＤＭＡ基地局装置の構成を示すブロック図である。なお、図１１では、図９（実施の形態３）に示した構成要素と同一ないしは同等である構成要素には同一の符号が付されている。ここでは、本実施の形態４に関わる部分を中心に説明する。
【００７６】
図１１に示すように、本実施の形態４に係るＣＤＭＡ基地局装置１１００では、図９（実施の形態３）に示した構成において、エンコーダ部９０１に代えて、エンコーダ部１１０１が設けられている。
【００７７】
次に、図１１と図１２を参照して、以上のように構成される本実施の形態４に係るＣＤＭＡ基地局装置１１００にて実施されるＰＩデータの送信動作について説明する。図１２は、図１１に示すＣＤＭＡ基地局装置が送信するＰＩデータのビットパターンを説明する図である。
【００７８】
本実施の形態４では、複数ビットのＰＩデータを送信できる下りフォーマットである場合に関する。この場合には、エンコーダ部１１０１では、外部から入力するＰＩＣＨ送信データからフレーム信号に生成する際に、図１２に示すように、着信と非着信とでは逆の関係になるが、着信及び非着信に対応するＰＩデータをビット“０”の数とビット“１”の数が等しくなるビットパターンとして生成する。
【００７９】
図１２は、ＰＩデータが４ビット構成の場合を示す。「着信あり」のＰＩデータは、“１１００”である。一方、「着信なし」のＰＩデータは、「着信あり」とは逆に“００１１”である。
【００８０】
図示しないＣＤＭＡ移動局装置では、受信ＰＩデータのビットパターンと予め用意したビットパターンとの相関を演算し、その相関値から着信の有無を判定することになる。
【００８１】
このように、本実施の形態４によれば、ＣＤＭＡ基地局装置では、着信及び非着信に対応するＰＩデータをビット“０”の数とビット“１”の数とを等しくしたビットパターンとして送信するようにしたので、それを受信するＣＤＭＡ移動局装置では、下り受信品質が悪い場合でも、処理量を増やすことなく干渉波の影響によるＰＩビットの誤判定確率の増大という問題を解決することができ、着信性能の向上が図れる。
【産業上の利用可能性】
【００８２】
本発明に係るＣＤＭＡ無線通信装置及びＣＤＭＡ無線通信方法は、劣悪な受信環境下において、送信電力制御ビットやＰＩデータの受信判定性能を向上させるのに好適である。
【図面の簡単な説明】
【００８３】
【図１】本発明の実施の形態１に係るＣＤＭＡ無線通信装置であるＣＤＭＡ基地局装置の構成を示すブロック図
【図２】図１に示す上り送信電力制御ビット生成部の構成例を示すブロック図
【図３】本発明の実施の形態１に係るＣＤＭＡ無線通信装置であるＣＤＭＡ移動局装置の構成を示すブロック図
【図４】図３に示す上り送信電力制御部の構成例を示すブロック図
【図５】図１に示すＣＤＭＡ基地局装置と図３に示すＣＤＭＡ移動局装置との間で送受信される上り送信電力制御ビットのビットパターンを説明する図
【図６】本発明の実施の形態２に係るＣＤＭＡ無線通信装置であるＣＤＭＡ基地局装置の構成を示すブロック図
【図７】本発明の実施の形態２に係るＣＤＭＡ無線通信装置であるＣＤＭＡ移動局装置の構成を示すブロック図
【図８】図６に示すＣＤＭＡ基地局装置と図７に示すＣＤＭＡ移動局装置との間で送受信される上り送信電力制御ビットのビットパターンを説明する図
【図９】本発明の実施の形態３に係るＣＤＭＡ基地局装置の構成を示すブロック図
【図１０】図９に示すＣＤＭＡ基地局装置が送信するＰＩデータのビットパターンを説明する図
【図１１】本発明の実施の形態４に係るＣＤＭＡ基地局装置の構成を示すブロック図
【図１２】図１１に示すＣＤＭＡ基地局装置が送信するＰＩデータのビットパターンを説明する図
【図１３】受信品質が悪い場合の受信信号点の遷移を説明するコンスタレーション図
【符号の説明】
【００８４】
１００、６００  ＣＤＭＡ基地局装置（ＣＤＭＡ無線通信装置）
１０１  受信アンテナ
１０２  受信無線部
１０３  Ａ／Ｄ変換器
１０４  逆拡散部
１０５  位相推定部
１０６  同期検波部
１０７  デコーダ部
１０８  ＩＳＣＰ算出部
１０９  ＲＳＣＰ算出部
１１０  ＳＩＲ算出部
１１１、６０１  上り送信電力制御ビット生成部
１１２  エンコーダ部
１１３  拡散部
１１４  Ｄ／Ａ変換器
１１５  送信無線部
１１６  送信アンテナ
２００  比較部
２０１  ＴＰＣ生成部
３００、７００  ＣＤＭＡ移動局装置（ＣＤＭＡ無線通信装置）
３０１  受信アンテナ
３０２  受信無線部
３０３  Ａ／Ｄ変換器
３０４  逆拡散部
３０５  位相推定部
３０６  同期検波部
３０７  デコーダ部
３０８  ＴＰＣ同期検波部
３０９、７０１  上り送信電力制御部
３１０  エンコーダ部
３１１  拡散部
３１２  Ｄ／Ａ変換器
３１３  送信無線部
３１４  送信アンテナ
４００  ＴＰＣデコーダ部
９００、１１００  ＣＤＭＡ基地局装置
９０１、１１０１  エンコーダ部
９０２  拡散部
９０３  Ｄ／Ａ変換器
９０４  送信無線部
９０５  送信アンテナ
【図１】
2006295679.tif 000003
【図２】
2006295679.tif 000004
【図３】
2006295679.tif 000005
【図４】
2006295679.tif 000006
【図５】
2006295679.tif 000007
【図６】
2006295679.tif 000008
【図７】
2006295679.tif 000009
【図８】
2006295679.tif 000010
【図９】
2006295679.tif 000011
【図１０】
2006295679.tif 000012
【図１１】
2006295679.tif 000013
【図１２】
2006295679.tif 000014
【図１３】
2006295679.tif 000015